(57)【要約】【課題】  サイズ調節機構の取付範囲が不必要に大きくならず、開口部の十分な調節範囲を確保でき、サイズ調節操作が極めて簡単な靴の提供。【解決手段】  靴の甲部左右位置に形成される甲片部（１０）（１１）を備え、靴（１）の開口部（１２）の締付け具合を調節するためのアジャスタ本体（２０）及びアジャスタレール（２４）からなるアジャスタ（２）を備えた靴で、前記アジャスタレール（２４）は、耐熱性材料からなり、一方の甲片部（１１）には、突条（２４０）が列設する前記アジャスタレール（２４）の一端を固着し、他方の甲片部（１０）には、突条（２４０）に対して係脱自在となる鉤爪部（２２２）を備えた金属製のアジャスタ本体（２０）を固着し、アジャスタレール（２４）は、アジャスタ本体（２０）を貫通するとともに、当該アジャスタレール（２４）の他端には抜止部（２５）を設けた靴。【選択図】  図１
2005230050.tif 000002
【特許請求の範囲】
【請求項１】
靴の甲部左右位置に形成される甲片部（１０）（１１）を備えるとともに、靴（１）の開口部（１２）の締付け具合を調節するためのアジャスタ本体（２０）及びアジャスタレール（２４）からなるアジャスタ（２）を具備した靴において、
前記アジャスタレール（２４）は、耐熱性材料からなり、
一方の甲片部（１１）には、突条（２４０）を列設した前記アジャスタレール（２４）の一端を固着し、他方の甲片部（１０）には金属製のアジャスタ本体（２０）を固着し、
前記アジャスタレール（２４）が、アジャスタ本体（２０）に対して、係脱可能且つ摺動可能とし、当該アジャスタレール（２４）の他端には抜止部（２５）を設けたことを特徴とする靴。
【請求項２】
甲片部（１１）の裏面に対して前記アジャスタレール（２４）の一端を取付けたことを特徴とする請求項１記載の靴。
【請求項３】
甲片部（１１）の端縁部に対して前記アジャスタレール（２４）の一端を取付けたことを特徴とする請求項１記載の靴。
【請求項４】
アジャスタ（２）の表面側に、アジャスタレール（２４）を被覆する被覆生地（３）を重合し、アジャスタ（２）の両端部と被覆生地（３）の両端部とを固着したことを特徴とする請求項１記載の靴。
【請求項５】
靴（１）の舌片部（４）を延設して折返し、アジャスタ（２）を被覆したことを特徴とする請求項１、２、３又は４記載の靴。
【発明の詳細な説明】
【技術分野】
【０００１】
本発明は、甲部左右に甲片部を備え、ベルト状の係止具を用いて前記甲片部の締付け調節及び開閉機能を備える靴に関するものである。
【背景技術】
【０００２】
従来、面ファスナーを備えたベルト状の係止具を利用して、雌面ファスナー及び雄面ファスナーの係着位置を変更することにより、靴の開口部の締め付け具合を調節する種々の靴が公知である。例えば、靴本体の上面に開口部が形成され、該開口部の前側一端に配されたリングと、開口部の前側他端に配され且つ雌雄面ファスナーを備えたベルトとを備え、前記ベルトをリング内に通過させて折返すことにより、前記本体の開口部における開口幅を調節自在とする靴（特許文献１参照。）が公知である。
【０００３】
また、靴甲開口部を跨ぐ状態とした締付片の一端を、左右の甲片部のうち一方の甲片部側に装着し、前記締付片の他端にアジャスタのアジャスタ本体（スライダ）を装着し、他方の甲片部側に合成樹脂製のアジャスタレールを縫着してなる靴において、該合成樹脂製のアジャスタレールのうち、先端部を止具により靴地に固定したことを特徴とする靴（例えば、特許文献２参照。）が公知である。
【０００４】
更に、靴に使用するアジャスタとして、靴本体に多数の突条を長手方向に沿って列設した帯状片にアジャスタ本体（スライダ）を摺動自在に係合し、該本体の後部に相対設した1対の支承片に操作片を回動自在に支承し、該操作片と前記本体との間に介在させた中介片を前記一対の支承片に回動自在に支承し、該中介片の後端を靴本体に連設した履口締付片に連設し、また、先端には前記受止縁に係止する係止片を設けるとともに、中介片の中間部を接離自在に圧接する押圧部片を前記操作片の後端に連設した靴のアジャスタ（例えば、特許文献３参照。）が公知である。
【０００５】
また、一般的な靴ではないが、足の甲部が靴底に対して締付ける締付け用帯紐を備え、クリートが靴底に取付けられる自転車用靴において、前記締付け用帯紐は、足首の前方位置の足の甲部の上面で襷掛け状に上下に重なる第一帯紐と第二帯紐とからなる自転車用靴（例えば、特許文献４参照。）が公知である。
【０００６】
【特許文献１】特開平３−７９７０８号公報
【特許文献２】実開昭６０−１７０１０６号公報
【特許文献３】実開昭６０−２０８１２号公報
【特許文献４】特開平１０−４２９０３号公報
【発明の開示】
【発明が解決しようとする課題】
【０００７】
上記特許文献１に係る発明の如く、雌面ファスナーと雄面ファスナーとを好適な位置で係合することによって、靴の開口部の締付具合を調節する靴は、一般的に安価に提供されている。
しかしながら、使用中に雄面ファスナーと雌面ファスナーとを脱着する際に、非常に耳障りな音がすることから、着用者が周囲に気遣いをしなければならなかったり、このような雌雄面ファスナーを備えた靴が安物であると判断されやすく、市場において、あまり受け入れられていない実情がある。
【０００８】
また、長期間の使用により、雌雄の面ファスナーが消耗しやすいことや、靴に使用するという用途上、面ファスナーに毛埃や糸屑、土などのゴミが溜まることも多く、これらのゴミが雌雄面ファスナーの係合を阻害し、係着力が低下しやすくなるという欠点がある。
【０００９】
更に、特に前記特許文献１に係る発明については、一本のベルトの一端側に雄面ファスナーを、他端側に雌面ファスナーを設け、ベルトの折返しによって、対向する雌面ファスナー及び雄面ファスナーを係合させることから、自ずと調節範囲は狭くなる欠点があった。
【００１０】
次に、特許文献２に係る考案は、雌雄面ファスナーを使用せず、前記したように、靴甲開口部を跨ぐ状態に締付片の一端を、左右の甲片部のうち一方の甲片部側に装着し、前記締付片の他端にアジャスタのアジャスタ本体（スライダ）を装着し、他方の甲片部側に合成樹脂製のアジャスタレールを縫着し、該合成樹脂製のアジャスタレールのうち、先端部を止具により靴地に固定する構成としたことから、靴の非常に広範な部分にかけてアジャスタレール及びアジャスタが位置することとなり、非常に体裁が悪くなることに加え、アジャスタ本体が靴の側部へ位置することで、当該アジャスタ本体が他物に引っ掛り、歩行中の障害となることがあり、不慮の転倒等を招来する虞があった。そして、当該アジャスタ本体には、ロック解除のレバーが備えられていることから、当該レバーが他物に当たると、即座にアジャスタ本体の位置がずれ、開口部が緩むという欠点があった。
【００１１】
また、特許文献３に係る考案は、アジャスタ本体が靴上の細いアジャスタレールに沿って動くものであり、靴開口部の締め具合を適宜調節する際に、靴上の前記アジャスタレールに沿って手動でアジャスタ本体を動かさなければならないが、靴の表面は一様でなく起伏があることから、サイズ調節時にはアジャスタ本体の位置を最適位置とした場合でも、歩行中に靴表面の起伏が動くことによって、緩みを生じることがあり、サイズ調節機構が十分に機能しているとはいい難いこともあった。また、このような事態を回避すべく必要以上に強くアジャスタ本体を締め込むと、足を不必要にきつく締め込むことにより、靴擦れや血行の悪化、外反母趾などを招来する虞があった。
【００１２】
特許文献４に係る発明は、その構成から、上記特許文献２及び特許文献３ほどアジャスタ本体がスライドするものではないが、当該アジャスタ本体は、帯体（当該特許文献４の図面における符号１２等）に連結されており、全体構成としてサイズ調節手段は、靴の曲面上に襷掛けされている構成であり、前記特許文献３と同様に、サイズ調節時にはアジャスタ本体の位置を最適位置とした場合でも、サイズ調節手段が足首側方から反対側の前側面までを結ぶことから、歩行中に靴表面の起伏が動くことによって、容易に左右にずれることによって、緩みを生じることがあり、サイズ調節機構が十分に機能しているとはいい難いこともあった。また、アジャスタが襷掛けされることで、前側のアジャスタ本体は、他の締縛手段と干渉しやすく、操作面でも十分とはいえなかった。
【００１３】
これに加えて、アジャスタ本体が帯体に連結された構成であることから、サイズを調節する際には、必ず一方の手でアジャスタ本体を持ち、アジャスタ本体側の帯体に不要な緩みが生じないように注意しながらアジャスタレールを引張る操作を行なう必要があり、面倒であった。
【００１４】
また、特許文献２、３及び４の何れにおいても、アジャスタレールがアジャスタ本体から抜けると、再度アジャスタ本体の挿通孔内へアジャスタレールを挿入しなければならないこととなる。アジャスタ本体には、係止部が備わっていることから、係止部がアジャスタレールの突条に干渉しないように挿入貫通させなければならず、非常に面倒であった。
【００１５】
一方、靴は、一般的に、靴底と靴本体とを予め別個に形成した上で、１００℃乃至１２０℃程度で、熱成形により前記靴底及び靴本体を一体化して靴を得るものであるが、上記した靴においては、アジャスタレールが耐熱性を備えていないため、一旦、靴底と靴本体とを熱成形により一体化した後に、アジャスタを取付ける必要があった。
【００１６】
このため、靴本体製造時と、熱成形後のアジャスタ取付時の二度に亘って、縫製作業を行なわなければならず、製造工程が非効率的であった。そして、二度目の縫製作業では、既に成形された靴に対してあらためて正確にアジャスタを取付けなければならないが、当該作業は非常に労力を伴うものであった。
【００１７】
本発明は以上の事情に鑑みてなされたものであり、製造が容易で、歩行中にも不慮の緩みを生ずることが無く、アジャスタ本体が歩行中に他物に引っ掛ることも無く、また、脱着時に音を生じる雌雄面ファスナーを使用することも無く、耐久性に優れ、サイズ調節機構の取付範囲が不必要に大きくならず、開口部の十分な調節範囲を確保することができ、そしてサイズ調節操作が極めて簡単となる優れた靴を提供することを、解決課題とするものである。
【課題を解決するための手段】
【００１８】
本発明は、靴の甲部左右位置に形成される甲片部を備えるとともに、靴の開口部の締付け具合を調節するためのアジャスタ本体及びアジャスタレールからなるアジャスタを具備した靴において、前記アジャスタレールは、耐熱性材料からなり、一方の甲片部には、突条を列設した前記アジャスタレールの一端を固着し、他方の甲片部には金属製のアジャスタ本体を固着し、前記アジャスタレールが、アジャスタ本体に対して、係脱可能且つ摺動可能とし、当該アジャスタレールの他端には抜止部を設けたことを特徴とする靴を、基本とするものである。尚、本発明において、突条とは、断面視長手方向に連続して形成される凹凸のうちの凸部分をいう。
【発明の効果】
【００１９】
本発明によれば、特に、従来、熱成形工程の際の高温処理に不向きな合成樹脂等で形成されていたアジャスタレールに耐熱性材料を使用することによって、予め耐熱性を備えたアジャスタ本体及びアジャスタレールの双方を相互に離脱不能な状態で靴に固定することを可能とし、この結果、一方の甲片部には、突条が列設される耐熱性のアジャスタレールの一端を固着し、他方の甲片部には、前記アジャスタレールの突条に対して係脱自在となる鉤爪部を備えた金属製のアジャスタ本体を直接固着した構成を実現することができ、アジャスタ本体がアジャスタレール上を摺動することが無く、アジャスタ本体内を貫通したアジャスタレールを引くのみで、靴開口部の締付を行なうことができるとともに、アジャスタ本体の鉤爪部のロックを解除するのみで、アジャスタレールの突条と鉤爪部との係合具合を調節する効果を発揮することができる。
【００２０】
そして、上記熱成形工程の際の高温処理に不向きな合成樹脂等で形成されていたアジャスタレールに耐熱性材料を使用することで、靴本体の縫製作業を一度だけ行なえばよいので、製造工程の効率化を図ることができ、既に成形された靴に対してあらためて正確にアジャスタを取付けるという労力の大きい二度目の縫製作業を、不要とすることができる。
【００２１】
また、当該構成、即ち、一方の甲片部には、突条を列設した耐熱性のアジャスタレールの一端を固着し、他方の甲片部には、前記アジャスタレールの突条に対して係脱自在となる鉤爪部を備えた金属製のアジャスタ本体を直接固着し、当該アジャスタ本体とアジャスタレールの一端との間で、締付け加減を調節する構成によって、靴の表面の起伏に左右されることも無く、従って、サイズ調節時にはアジャスタ本体の位置を最適位置とした場合でも、緩みを生じることを解消することができるとともに、緩みを生じないように必要以上に強くアジャスタ本体を締め込むこともなくなり、不必要にきつく足を締め込むことで生じていた靴擦れや血行の悪化、外反母趾などの弊害を除去することができる。
【００２２】
更に、上記一方の甲片部に、突条を列設した耐熱性のアジャスタレールの一端を固着し、他方の甲片部に、前記アジャスタレールの突条に対して係脱自在となる鉤爪部を備えた金属製のアジャスタ本体を直接固着した構成は、アジャスタレールの長さを非常に短く設定することができることから、従来のように靴の広範な範囲でアジャスタレールが当該靴を覆うことが無く、また、アジャスタ本体が甲片部に取付けられておりレール上を摺動することもないので、外観体裁を非常に良好なものとすることができる。
【００２３】
また、アジャスタ本体が甲片部上に設けられることから、当該アジャスタ本体が側方へ突出することが無く、当該アジャスタ本体が歩行中の障害となることも防止することができる。
【００２４】
そして、アジャスタレールの端部にアジャスタレール挿通孔よりも幅寸法若しくは高さ寸法の大きい抜止部を設けたことによって、アジャスタ本体からアジャスタレールが抜けることを防止することができ、従来アジャスタレールの突条がアジャスタ本体に干渉しないように挿入貫通させなければならなかった不便さを解消することができる。
【００２５】
また、アジャスタの表面側に、アジャスタレールを被覆する被覆生地を重合し、アジャスタの両端部と被覆生地の両端部とを固着した場合には、アジャスタレールの突条が隠されることにより、更に外観体裁を良好とすることができる。
【００２６】
更に、靴の舌片部を延設して折返し、アジャスタを被覆した場合には、前記被覆生地を用いることなく、また、新たな縫合を行なうことも無く、容易にアジャスタレールの突条を隠すことができ、外観体裁を向上させることができる。
【００２７】
また、アジャスタレールの一端を甲片部１１に取付ける場合に、当該アジャスタレールの一端を甲片部１１の裏面に対して取付ける構成とした場合には、アジャスタレールの一部を甲片部１１で覆うこととなって、外観体裁の向上を図ることができる。
【００２８】
更に、アジャスタレールの一端を、右側の甲片部の左端縁部分に取付ける構成とした場合には、当該右側の甲片部全体にアジャスタレールが露呈することが無く、外観体裁の向上を図ることができる。
【発明を実施するための最良の形態】
【００２９】
耐熱性を備えたアジャスタレールの一端及び耐熱性を備えたアジャスタ本体を、靴甲部左右位置の甲片部に設けて、当該アジャスタレールの一端とアジャスタ本体との間の距離によって、締付け具合を調節する、極めて、安全性、利便性に優れた靴を実現した。
【実施例】
【００３０】
（実施例に係る靴の構成）
図１は本発明の実施例１に係る靴を示す平面図、図２は同実施例１に係る靴のアジャスタ２の取付構造を示す斜視図、図３は同実施例１に係る靴の一部拡大断面図、図４は同実施例１に係るアジャスタ本体を甲片部に取付けた状態を示す一部断面とした正面図、図５は同実施例１に係るアジャスタ本体の閉塞状態側面図及び開口状態側面図、図６は本発明の実施例２に係る靴を示す平面図、図７は同実施例２の一部拡大断面図、図８乃至図１０は本発明の他の実施例に係る靴を示す平面図である。
【００３１】
本発明の実施例１に係る靴は、図１に示す左足側の靴と、図示されない左右対称形となる右足側の靴の一組からなる。以下、説明の便宜上、左足側の靴によって説明する。
【００３２】
本実施例１に係る靴１は、当該靴１の開口部１２から前方へ連続して靴甲部上の左右、即ち外側及び内側に設けられる左右の甲片部１０、１１を一の合成皮革からなる生地で形成し、左右の甲片部に亘ってアジャスタ２を取付けた構成である。
【００３３】
ここで、前記左右の甲片部１０、１１のうち、右側（内側）の甲片部１１の表面に、アジャスタレール２４の一端を縫着し、左側（外側）の甲片部１０の表面に、アジャスタ本体２０を固着した構成である。
そして、前記アジャスタレール２４の他端には、アジャスタレール挿通孔よりも幅寸法若しくは高さ寸法の大きい、耐熱性の抜止部２５を取付けている。
【００３４】
また、アジャスタレール２４は、特開平９−２６８４５９号公報に開示されるスライダー調整部品用のテープ、即ち、細糸で編成または織成された基布に対し、前記基布の細糸よりも太い糸が幅方向に降られて基布の片面より隆起した突条２４０（突出部）を凹状部２４１となる間隔をあけて形成し、突条２４０となる太い糸を基布の糸で保持させて、基布と一体化させた細幅テープを、利用している。ここで、基布を形成する細糸及び突条２４０を形成する太い糸は、いずれも耐熱性を備えたポリプロピレンを使用している。
【００３５】
アジャスタ本体２０は、図２及び図４に示すように、真鍮製の操作体２２と、基体２１と、止体２３によって、構成されている。アジャスタレール２４は基本的に、基体２１内にガイドされ、操作体の鉤爪部２２２がアジャスタレール２４上の突条２４０と係合して、ロックされる機構である。
【００３６】
ここで、操作体２２は、両側端を屈曲してなる側壁部２２４と、前端を屈曲してなる鉤爪部２２２と、後端を上方へ反り上がった形状としてなる操作レバー２２１とを備えている。両側端に形成した側壁部２２４の後部側には基体２１の外側に設けられた軸２１２を差込むための軸孔２２５が設けられている。また、両側端の最後端下部には、下方へ張り出す案内凸部２２６が形成されている。
【００３７】
また、基体２１は、前側にアジャスタレール挿通口２１６を形成するように、左右両端をコの字状に折返して形成した基体側壁２１５を備えた基体主部２１０と、該基体主部２１０の下部後端に溶着された平板状の基体副部２１１とからなる構成である。
【００３８】
前記基体主部２１０は、底面に前記止体２３の脚部２３０を通すための係合孔２１３が形成されており、両側部の基体側壁２１５の最後端には、前記軸２１２が形成されている。
また基体副部２１１は、左右両側部に切欠き形状の案内切欠き部２１４が形成されている。
【００３９】
止体２３は、真鍮製の板状体からなる止体基部２３１の両端には鋭利な脚部２３０を立設し、前記止体基部の下面には、カバーを取付けた構成である。
【００４０】
止体２３の二本の脚部２３０が、甲片部１０をその裏側下方から貫いて、アジャスタ本体２０の係合孔２１３に嵌り、当該脚部２３０がかしめられることによって、前記甲片部１０に対してアジャスタ本体２０が固着される。
【００４１】
操作体２２と基体２１は、当該操作体２２の軸孔２２５内に基体２１の軸２１２が嵌り込むことによって連結しており、操作体のズレ防止腕２２３によって、操作体２２が基体２１よりも前方へ飛び出すことを規制する構成となっている。
【００４２】
そして、図５に示すように、通常状態では、操作体２２の鉤爪部２２２がアジャスタレール２４の突条２４０に係止する位置にあり、操作レバー２２１をやや後方へスライドさせつつ押し込む操作を行なうことによって、操作体２２の案内凸部２２６が案内切欠き部２１４に落込んで、鉤爪部２２２が斜め上方へ持ち上がることとなる。
【００４３】
以上の構成を備えたことにより、靴１を着用する際には、靴１の開口部１２から足を靴１内に収めた後、抜止部２５を引くだけで、左右の甲片部１０、１１間の距離が狭まって、締付けることができ、靴１を脱ぐ際には、操作体２２の操作レバー２２１を押し込むだけで、鉤爪部２２２とアジャスタレール２４の突条２４０との係合が解除されてアジャスタレール２４が緩むことから、極めて簡単に靴１から足を抜くことができる。
【００４４】
尚、当該アジャスタレール２４は、非常に突条２４０の間隔を狭く編成することができることから、突条２４０の間隔を鉤爪部２２２の厚みより少し大きい程度とすることによって、係止可能な間隔を狭め、アジャスタ本体２０に対するアジャスタレール２４の位置決めを略無段階に調節可能なものとすることができる。
【００４５】
また、上記実施例１と基本構成を同じくする本発明の実施例２に係る靴１として、図６に示すように、アジャスタレール２４の突条２４０を被覆手段である被覆生地３により被覆して外観体裁を向上させることができる。本実施例２に係る靴１の場合には、一部拡大断面図を図７に示すように、アジャスタ本体２０に対して、一定のアジャスタレール２４の移動範囲を確保するため、アジャスタレール２４の両端部のみに被覆生地３を縫着した構成としている。
【００４６】
また、本発明においては、例えば、図１に示す靴の舌片部４を延長して折返し、実施例３として図８に示すような被覆手段として、アジャスタレール２４を被覆して、外観上目立たないものとすることもできるし、アジャスタレール２４の一端の固着位置を、図９に実施例４として示すように、右側の甲片部１１の裏面に取付けることもできるし、更に、図１０に実施例５として示すように、右側の甲片部の左端縁部分に取付けることもできる。
【００４７】
勿論、本発明においては、可能な限り、上記した各実施例の特徴部分を組合せて用いることができる。例えば、実施例４に示すアジャスタレールの一端を右側の甲片部１１の裏面に取付ける構成と、実施例３に示す舌片部４の延設折返しとを併用することもできるし、実施例５に係るアジャスタレールの一端を右側の甲片部の左端縁部に取付ける構成と、前記実施例３に示す構成とを併用することもできる。
【００４８】
また、本発明の実施例１及び実施例２においては、前記したように、耐熱性素材としてポリプロピレンを使用しているが、本発明はこれに限るものではなく、他の耐熱性合成樹脂、例えば、ポリカーボネートやナイロン等を使用することができる。
【図面の簡単な説明】
【００４９】
【図１】本発明の実施例１に係る靴を示す平面図である。
【図２】本発明の実施例１に係る靴のアジャスタの取付構造を示す斜視図である。
【図３】本発明の実施例１に係る靴の一部拡大断面図である。
【図４】本発明の実施例１に係るアジャスタ本体を甲片部に取付けた状態を示す一部断面とした正面図である。
【図５】本発明の実施例１に係るアジャスタ本体の閉塞状態側面図及び開口状態側面図である。
【図６】本発明の実施例２に係る靴を示す平面図である。
【図７】本発明の実施例２に係る靴の一部拡大断面図である。
【図８】本発明の実施例３に係る靴を示す平面図である。
【図９】本発明の実施例４に係る靴を示す平面図である。
【図１０】本発明の実施例５に係る靴を示す平面図である。
【符号の説明】
【００５０】
１      靴
１０    甲片部（外側）
１１    甲片部（内側）
１２    開口部
１２０  開口縁
２      アジャスタ
２０    アジャスタ本体
２１    基体
２１０  基体主部
２１１  基体副部
２１２  軸
２１３  係合孔
２１４  案内切欠き部
２１５  基体側壁
２１６  アジャスタレール挿通孔
２２    操作体
２２１  操作レバー
２２２  鉤爪部
２２３  ズレ防止腕
２２４  側壁部
２２５  軸孔
２２６  案内凸部
２３    止体
２３０  脚部
２３１  止体基部
２３２  カバー
２４    アジャスタレール
２４０  突条
２４１  凹状部
２５    抜止部
３      被覆生地
４      舌片部
【図１】
2005230050.tif 000003
【図２】
2005230050.tif 000004
【図３】
2005230050.tif 000005
【図４】
2005230050.tif 000006
【図５】
2005230050.tif 000007
【図６】
2005230050.tif 000008
【図７】
2005230050.tif 000009
【図８】
2005230050.tif 000010
【図９】
2005230050.tif 000011
【図１０】
2005230050.tif 000012